(57)【要約】【課題】汎用性を向上させることができる照明バーおよび照明装置を提供する。【解決手段】照明バーは、照明部と、カメラと、隔壁と、カバー部材とを具備する。照明部は、複数の発光素子を有する。カメラは、照明部と長さ方向に並ぶ。隔壁は、遮光性であり、照明部とカメラとの間に配置される。カバー部材は、照明部、カメラおよび隔壁を覆う。【選択図】図１
2019169455.tif 000002
【特許請求の範囲】
【請求項１】
複数の発光素子を有する照明部と；
前記照明部と長さ方向に並ぶカメラと；
前記照明部と前記カメラとの間に配置された遮光性の隔壁と；
前記照明部、前記カメラおよび前記隔壁を覆うカバー部材と；
を具備することを特徴とする照明バー。
【請求項２】
前記照明部に供給された電力を電圧変換して前記カメラに供給する電圧変換部；
をさらに具備することを特徴とする請求項１に記載の照明バー。
【請求項３】
請求項１または２に記載の照明バーと；
前記照明バーを保持する本体部と；
を具備することを特徴とする照明装置。
【発明の詳細な説明】
【技術分野】
【０００１】
本発明の実施形態は、照明バーおよび照明装置に関する。
【背景技術】
【０００２】
周囲を撮像可能なカメラを備えるいわゆるカメラ付き照明装置が知られている。かかる照明装置は、例えば街路灯として利用されるほか、工場での生産ラインの監視やオフィス内での従業員の状態監視などの用途にも導入されつつある。
【先行技術文献】
【特許文献】
【０００３】
【特許文献１】特開２０１７−５９４１４号公報
【発明の概要】
【発明が解決しようとする課題】
【０００４】
従来のカメラ付き照明装置は、用途等に応じた構造をそれぞれ有しており、汎用性に乏しいものとなりがちであった。
【０００５】
本発明が解決しようとする課題は、汎用性を向上させることができる照明バーおよび照明装置を提供することである。
【課題を解決するための手段】
【０００６】
実施形態の照明バーは、照明部と、カメラと、隔壁と、カバー部材とを具備する。照明部は、複数の発光素子を有する。カメラは、前記照明部と長さ方向に並ぶ。隔壁は、遮光性であり、照明部とカメラとの間に配置される。カバー部材は、照明部、カメラおよび隔壁を覆う。
【発明の効果】
【０００７】
本発明によれば、汎用性を向上させることができる。
【図面の簡単な説明】
【０００８】
【図１】図１は、第１の実施形態に係る照明装置の外観例を示す斜視図である。
【図２】図２は、第１の実施形態に係る照明装置を示す側面図である。
【図３】図３は、第１の実施形態に係る照明装置の構成の一例を模式的に示すブロック図である。
【図４】図４は、第１の実施形態の第１変形例に係る照明装置の構成の一例を模式的に示すブロック図である。
【図５】図５は、第１の実施形態の第２変形例に係る照明装置の構成の一例を模式的に示すブロック図である。
【図６】図６は、第２の実施形態に係る照明装置の外観例を示す斜視図である。
【図７】図７は、第２の実施形態に係る照明装置の構成の一例を模式的に示すブロック図である。
【発明を実施するための形態】
【０００９】
以下に説明する実施形態に係る照明バー５０は、照明部２と、カメラ１７と、隔壁３２と、カバー部材３０とを具備する。照明部２は、複数の発光素子１４を有する。カメラ１７は、照明部２と長さ方向に並ぶ。隔壁３２は、遮光性であり、照明部２とカメラ１７との間に配置される。カバー部材３０は、照明部２、カメラ１７および隔壁３２を覆う。
【００１０】
また、以下に説明する実施形態に係る照明バー５０は、照明部２に供給された電力を電圧変換してカメラ１７に供給する電圧変換部１９をさらに具備する。
【００１１】
また、以下に説明する実施形態に係る照明装置１００は、照明バー５０と、照明バー５０を保持する本体部４とを具備する。
【００１２】
以下に、本発明に係る実施形態を図面に基づき説明する。なお、以下に示す各実施形態は、本発明が開示する技術を限定するものではない。また、各実施形態において同一の部位には同一の符号を付し、重複する説明は省略する。
【００１３】
（第１の実施形態）
図１は、第１の実施形態に係る照明装置の外観例を示す斜視図である。図２は、第１の実施形態に係る照明装置を示す側面図である。図１、図２に示すように、照明装置１００は、本体部４、照明バー５０を有する。照明装置１００は、本体部４が天井面へ設置され、照明バー５０から出力される光が照射面の一例である床面へと照射される天井直付けタイプの照明装置である。照明装置１００は、例えば工場での生産ラインの監視やオフィス内での従業員の状態監視などの用途で主に屋内で使用される。
【００１４】
なお、説明を分かりやすくするために、図１には、鉛直下向きを正方向とし、鉛直上向きを負方向とするＺ軸を含む３次元の直交座標系を図示している。また、Ｘ軸は照明装置１００の長手方向に、Ｙ軸は照明装置１００の短手方向に、それぞれ沿うように図示している。かかる直交座標系は、後出の説明に用いる他の図面でも示す場合がある。
【００１５】
本体部４は、照明バー５０を保持する。また、本体部４は、照明装置１００を天井その他の所定の位置に取り付けるための取付部材を兼ねる。
【００１６】
照明バー５０は、発光ユニット２、カメラ１７、隔壁３２、カバー部材３０を有する。発光ユニット２は、照明部の一例である。発光ユニット２は、Ｙ軸方向に沿うように配置された、長尺状のシャーシまたは基板（不図示）上に所定の間隔で配置された複数の発光素子（不図示）を有している。
【００１７】
カメラ１７は、例えばＣＣＤ（Charge  Coupled  Device）やＣＭＯＳ（Complementary  Metal  Oxide  Semiconductor）など、電子的に画像を取得する撮像素子を備える。カメラ１７は、レンズ１７ａを有し、上記した照射面と向かい合うように発光ユニット２のＸ軸負方向側に隣り合って配置される。
【００１８】
隔壁３２は、遮光性を有する板状の部材である。隔壁３２は、照明バー５０の短手方向、すなわちＹ軸方向に沿うように発光ユニット２とカメラ１７との間に配置される。また、図２に示すように、下端、すなわちＺ軸負方向側の端部は、隔壁３２の方がカメラ１７のよりも高さｈ１の分だけ本体部４から離れて配置されている。すなわち、発光ユニット２は、図２における一点鎖線で示される照射範囲Ｌ１でカメラ１７側に光を照射する。このような隔壁３２を配設することで、発光ユニット２から照射された光がカメラ１７のレンズ１７ａにさらに入り込みにくくなり、カメラ１７で撮像された画像の不具合を低減することができる。
【００１９】
カバー部材３０は、例えば、アクリルやポリカーボネート等の透光性の材料から作られている。カバー部材３０は、フロスト処理が施されて発光ユニット２から出射される光を拡散する機能を有するようになっている。なお、カバー部材３０に適宜拡散材や着色剤を混入させてもよい。
【００２０】
カバー部材３０は、本体部４との間に発光ユニット２、カメラ１７および隔壁３２を覆うように配設される。また、カバー部材３０は、開口３６と傾斜部３５とを有する。開口３６は、カバー部材３０を厚み方向に貫通する貫通口であり、レンズ１７ａと対向する位置に設けられる。傾斜部３５は、開口３６の外面３３側の周縁からカバー部材３０の照射面側の端部である下端３３ａまで末広がり形状に傾斜するように設けられている。このように傾斜部３５を設けることで、カメラ１７は、図２における二点鎖線で示される撮像可能範囲Ｌ２で撮像することができる。このような開口３６および傾斜部３５を有するカバー部材３０を配設することで、カメラ１７の撮像範囲を広くとることが可能となる。
【００２１】
次に、図３を用いて、照明装置１００の機能的構成について説明する。図３は、第１の実施形態に係る照明装置の構成の一例を模式的に示すブロック図である。
【００２２】
図３に示すように、照明装置１００は、本体部４、照明バー５０を備える。
【００２３】
本体部４は、電源部１１、蓄電部１２を有する。電源部１１は、交流電源２２から供給された交流電力を直流電力に変換して出力する。交流電源２２は、例えば商用電源である。
【００２４】
また、電源部１１は、蓄電部１２の充放電動作を行う。蓄電部１２は、例えばリチウムイオン電池等の二次電池である。本実施形態の蓄電部１２は、本体部４の内部に着脱可能な電池モジュールである。例えば停電により電源部１１からの電力供給が遮断された場合には、蓄電部１２に蓄えられた電力を利用して照明装置１００を動作させることができる。
【００２５】
また、電源部１１は、点灯制御部１３を有する。点灯制御部１３は、電源部１１から供給される直流電流を、所定の電圧（例えば、５０Ｖ）で発光ユニット２へ給電し、発光素子１４の点灯を制御する。
【００２６】
照明バー５０は、発光ユニット２、撮像ユニット３、電圧変換部１９、記録スロット１８を備える。
【００２７】
発光ユニット２は、発光素子１４を有する。発光素子１４は、シャーシ上の配線パターンによりそれぞれ接続され点灯制御部１３に接続されており、点灯制御部１３から直流出力が供給され、点灯制御部１３により点灯制御される。発光素子１４は、例えばセラミックスで形成された本体に配設されたＬＥＤチップと、このＬＥＤチップを封止するエポキシ系樹脂やシリコーン樹脂等のモールド用の透光性樹脂とを含む。
【００２８】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光を発するものであってもよい。
【００２９】
また、ＬＥＤは、ＬＥＤチップを直接発光ユニット２が有するシャーシまたは基板に実装するようにしてもよく、また、砲弾型のＬＥＤを実装するようにしてもよく、実装方式や形式は、特に限定されるものではない。
【００３０】
電圧変換部１９は、発光ユニット２側から入力された入力電源の電圧値を、撮像ユニット３の動作に適した電圧に変換し、撮像制御部１６に出力する。電圧変換部１９は、入力電源の電圧値を、例えば、１０分の１（例えば、５Ｖ）に変換する。電圧変換部１９は、例えば、ＦＥＴなどのスイッチング素子を有しており、スイッチング素子をオン・オフすることによって直流電圧を降圧する。電圧変換部１９は、例えば、降圧型のＤＣ−ＤＣコンバータである。
【００３１】
撮像ユニット３は、撮像制御部１６、カメラ１７を有する。撮像制御部１６は、電圧変換部１９から供給される直流電流をカメラ１７へ給電し、撮像を制御する。また、撮像制御部１６は、カメラ１７による撮像角度を制御する。また、撮像制御部１６は、カメラ１７で撮像された画像を記録スロット１８に差し込まれた記録媒体２１に記録させる。記録媒体２１としては、例えばメモリカード、メモリスティック等の不揮発性メモリを使用することができる。
【００３２】
このように第１の実施形態に係る照明バー５０によれば、例えば本体部４のサイズに応じた照明装置１００での適用が可能となり、汎用性を向上させることができる。
【００３３】
（第１変形例）
図４は、第１の実施形態の第１変形例に係る照明装置の構成の一例を模式的に示すブロック図である。図４に示す照明装置１００は、照明バー５０が電圧変換部１９を有さない点で図３に示す照明装置１００と相違する。
【００３４】
電源部１１は、発光ユニット２および撮像ユニット３のそれぞれに、直流電流を供給する。また、電源部１１は、点灯制御部１３を有する。点灯制御部１３は、電源部１１から供給される直流電流を、所定の電圧（例えば、５０Ｖ）で発光ユニット２が有する複数の発光素子１４へ給電し、発光素子１４の点灯を制御する。一方、撮像制御部１６は、電源部１１から供給される直流電流を所定の電圧（例えば、５Ｖ）でカメラ１７へ給電し、撮像を制御する。かかる場合、発光ユニット２および撮像ユニット３のそれぞれに供給される直流電流の電圧変換は、例えば電源部１１で行うことができる。
【００３５】
（第２変形例）
図５は、第１の実施形態の第２変形例に係る照明装置の構成の一例を模式的に示すブロック図である。図５に示す照明装置１００は、電源部１１を本体部４ではなく照明バー５０が有する点で図３に示す照明装置１００と相違する。第２変形例に係る照明装置１００によれば、電源部１１も照明バー５０とともに交換されることとなるため、例えば、照明装置１００全体としての信頼性が向上する。
【００３６】
（第２の実施形態）
図６は、第２の実施形態に係る照明装置の外観例を示す斜視図である。図６に示す照明バー５０は、カメラ１７が長さ方向の中央部に配置されている点を除き、図１に示す照明バー５０と同様の構成を有している。図６に示す照明バー５０は、カメラ１７と、カメラ１７を挟んで長さ方向に隣り合う第１発光ユニット２ａおよび第２発光ユニット２ｂを有する。また、第１発光ユニット２ａとカメラ１７との間、カメラ１７と第２発光ユニット２ｂとの間には、照明バー５０の短手方向に沿うように隔壁３２ａ、３２ｂがそれぞれ設けられており、第１発光ユニット２ａ、隔壁３２ａ、カメラ１７、隔壁３２ｂおよび第２発光ユニット２ｂをそれぞれ覆うようにカバー部材３０が設けられている。
【００３７】
図７は、第２の実施形態に係る照明装置の構成の一例を模式的に示すブロック図である。図７に示す照明装置１００は、電源部１１が第１点灯制御部１３ａおよび第２点灯制御部１３ｂを有する。また、照明バー５０は、第１発光素子１４ａを有する第１発光ユニット２ａと、第２発光素子１４ｂを有する第２発光ユニット２ｂとを有する。第１点灯制御部１３ａは第１発光ユニット２ａを、第２点灯制御部１３ｂは、第２発光ユニット２ｂを、それぞれ独立して制御可能となるように構成されている。このように電源部１１が第１発光ユニット２ａおよび第２発光ユニット２ｂをそれぞれ独立して制御可能に構成されることにより、第１発光素子１４ａおよび第２発光素子１４ｂに対する点灯制御の自由度が向上する。なお、図７に示した例では、第１発光ユニット２ａおよび第２発光ユニット２ｂをそれぞれ独立して制御可能に構成されたが、例えば図３〜図５に例示したように点灯制御部１３が第１発光ユニット２ａおよび第２発光ユニット２ｂの両方を同様に制御可能に構成されてもよい。
【００３８】
なお、上記した実施形態では、照明装置１００は天井直付けタイプの照明装置として説明したが、これに限らず、例えば埋め込みタイプまたは吊り下げタイプであってもよい。また、照明装置１００は天井ではなく、例えば壁面に取り付けられてもよい。
【００３９】
また、図１では、カメラ１７がＸ軸負方向側となるように照明バー５０を配設させた例について示した。かかる照明バー５０を、カメラ１７がＸ軸正方向側となるようにＺ軸を中心に１８０度回転させた場合であっても本体部４に取り付け可能となるように構成してもよい。これにより、例えば照明バー５０の設置の自由度が向上する。
【００４０】
実施形態に係る照明バー５０は、照明部２と、カメラ１７と、隔壁３２と、カバー部材３０とを具備する。照明部２は、複数の発光素子１４を有する。カメラ１７は、照明部２と長さ方向に並ぶ。隔壁３２は、遮光性であり、照明部２とカメラ１７との間に配置される。カバー部材３０は、照明部２、カメラ１７および隔壁３２を覆う。これにより、汎用性を向上させることができる。
【００４１】
また、実施形態に係る照明バー５０は、照明部２に供給された電力を電圧変換してカメラ１７に供給する電圧変換部１９をさらに具備する。これにより、汎用性を向上させることができる。
【００４２】
また、実施形態に係る照明装置１００は、照明バー５０と、照明バー５０を保持する本体部４とを具備する。これにより、カメラ１７を備えた照明バー５０の着脱が容易となる。
【００４３】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４４】
２  発光ユニット（照明部）
３  撮像ユニット
４  本体部
１４  発光素子
１７  カメラ
３０  カバー部材
３２  隔壁
５０  照明バー
１００  照明装置
【図１】
2019169455.tif 000003
【図２】
2019169455.tif 000004
【図３】
2019169455.tif 000005
【図４】
2019169455.tif 000006
【図５】
2019169455.tif 000007
【図６】
2019169455.tif 000008
【図７】
2019169455.tif 000009